(57)【要約】【課題】第１のレンズと、該第１のレンズの外周側に配置された第２のレンズとを有するレンズ鏡筒において、レンズの位置調整を簡易な構成で実現する。【解決手段】３Ｄアダプタ３００は、第１左レンズ群Ｇ１Ｌと、第１左レンズ群Ｇ１Ｌの外周側に配置された第１右レンズ群Ｇ１Ｒと、第１左レンズ群Ｇ１Ｌに対する第１右レンズ群Ｇ１Ｒの位置を調整可能な第２調整機構６とを備えている。第２調整機構６は、一端が位置決めされたシャフト６０と、シャフトが貫通する軸受部３２を有し、第１右レンズ群Ｇ１Ｒを保持する可動レンズ枠３と、可動レンズ枠３をシャフト６０に沿って摺動させて第１右レンズ群Ｇ１Ｒを前後方向に移動させる第１調整ネジ７１及びコイルバネ７４と、シャフト６０の他端を移動させて第１右レンズ群Ｇ１Ｒを上下方向に移動させる第３調整ネジ７３及び第２板バネ７６とを有する。【選択図】図１２
2013145295.tif 000002
【特許請求の範囲】
【請求項１】
第１のレンズと、
前記第１のレンズの外周側に配置された第２のレンズと、
前記第１のレンズに対する前記第２のレンズの位置を調整可能な調整機構と、を備え、
前記調整機構は、
一端が位置決めされた軸と、
前記軸が貫通する軸受部を有し、前記第２のレンズを保持するレンズ枠と、
前記レンズ枠を前記軸に沿って摺動させて前記第２のレンズを第１方向に移動させる第１調整部と、
前記軸の他端を移動させて前記第２のレンズを前記軸と交差する第２方向に移動させる第２調整部とを有する、
レンズ鏡筒。
【請求項２】
前記調整機構は、
前記レンズ枠を前記軸周りに回転させて前記第２のレンズを第３方向に移動させる第３調整部をさらに有する、
請求項１に記載のレンズ鏡筒。
【発明の詳細な説明】
【技術分野】
【０００１】
本発明は、第１のレンズと、該第１のレンズの外周側に配置された第２のレンズとを備えたレンズ鏡筒に関するものである。
【背景技術】
【０００２】
従来より、３次元画像を撮影するためのレンズ鏡筒が知られている。例えば、特許文献１に係るレンズ鏡筒は、左眼用のレンズと、左眼用レンズの外周側に配置された右眼用のレンズとを備えている。このレンズ鏡筒が装着されるビデオカメラは、左眼用のレンズを介して左眼用画像を撮影し、右眼用のレンズを介して右眼用画像を撮影する。左眼用画像と右眼用画像とは視差を有しており、これらの画像を用いることによって３次元画像を作成することができる。
【先行技術文献】
【特許文献】
【０００３】
【特許文献１】特開平７−２７４２１４号公報
【発明の概要】
【発明が解決しようとする課題】
【０００４】
このようなレンズ鏡筒においては、適切な画像を撮影するために、２つのレンズを適切な位置に配置する必要がある。例えば、前記レンズ鏡筒であれば、左眼用画像と右眼用画像との合焦状態が一致している必要があるので、左眼用のレンズの焦点の位置と右眼用のレンズの焦点の位置とを合わせる必要がある。また、左眼用のレンズと右眼用のレンズの輻輳点を所定の位置に調整する必要がある。また、左眼用画像と右眼用画像との高さを一致させる必要がある。
【０００５】
そこで、これらのレンズの位置を調整する調整機構を設けることが考えられる。しかしながら、調整機構が複雑になると、部品点数が増えてしまい好ましくない。
【０００６】
ここに開示された技術は、かかる点に鑑みてなされたものであり、その目的とするところは、第１のレンズと、該第１のレンズの外周側に配置された第２のレンズとを有するレンズ鏡筒において、レンズの位置調整を簡易な構成で実現することにある。
【課題を解決するための手段】
【０００７】
ここに開示されたレンズ鏡筒は、第１のレンズと、前記第１のレンズの外周側に配置された第２のレンズと、前記第１のレンズに対する前記第２のレンズの位置を調整可能な調整機構と、を備え、前記調整機構は、一端が位置決めされた軸と、前記軸が貫通する軸受部を有し、前記第２のレンズを保持するレンズ枠と、前記レンズ枠を前記軸に沿って摺動させて前記第２のレンズを第１方向に移動させる第１調整部と、前記軸の他端を移動させて前記第２のレンズを前記軸と交差する第２方向に移動させる第２調整部とを有するものとする。ここで、「外周側に配置」とは、２つのレンズが光軸方向に並んでいるのではなく、光軸と交差する方向に並んでいることを意味する。
【発明の効果】
【０００８】
前記レンズ鏡筒によれば、レンズの位置調整を簡易な構成で実現することができる。
【図面の簡単な説明】
【０００９】
【図１】実施形態に係るビデオカメラユニットの斜視図である。
【図２】ビデオカメラと３Ｄアダプタとを分離させた状態のビデオカメラユニットの斜視図である。
【図３】ビデオカメラユニットの光学系の構成図である。
【図４】３Ｄアダプタの、右斜め前方且つ上方からの分解斜視図である。
【図５】３Ｄアダプタの、左斜め後方且つ上方からの斜視図である。
【図６】フロントケーシングを取り外した状態の３Ｄアダプタの正面図である。
【図７】第１調整機構の、左斜め前方且つ上方からの分解斜視図である。
【図８】鏡筒ユニット全体の、右斜め前方且つ上方からの分解斜視図である。
【図９】本体枠及び可動レンズ枠の、右斜め前方且つ上方からの分解斜視図である。
【図１０】本体枠及び可動レンズ枠の、左斜め前方且つ下方からの分解斜視図である。
【図１１】鏡筒ユニットの、左斜め前方且つ上方からの斜視図である。
【図１２】鏡筒ユニットの、右斜め前方且つ下方からの斜視図である。
【図１３】中間レンズ枠の、左斜め前方且つ上方からの斜視図である。
【図１４】シャフトの基端部及びボス部１６の断面図である。
【発明を実施するための形態】
【００１０】
以下、実施形態を図面に基づいて詳細に説明する。
【００１１】
［１．ビデオカメラユニット］
図１に、ビデオカメラユニット１００の斜視図を、図２に、ビデオカメラ２００と３Ｄアダプタ３００とを分離させた状態のビデオカメラユニット１００の斜視図を示す。尚、本明細書では、説明の便宜上、互いに直交するＸ軸、Ｙ軸及びＺ軸のうち、Ｚ軸を後述するビデオカメラ２００の光軸とする。光軸方向における被写体側を前側、カメラ本体側を後側と称する場合がある。また、Ｘ軸方向を上下方向と称し、Ｙ軸方向を左右方向と称する場合がある。ビデオカメラユニット１００における上下左右は、ビデオカメラユニット１００を横長の画像が撮影できるように配置した状態を基準に定義する。左右方向については、前方を向いたときの右側を「右」と、左側を「左」と称する。
【００１２】
ビデオカメラユニット１００は、図１，２に示すように、ビデオカメラ２００と、３Ｄアダプタ３００とを備えている。３Ｄアダプタ３００は、３次元撮影を行うためのアダプタである。２次元撮影を行う場合には、ビデオカメラ２００に３Ｄアダプタ３００を取り付けることなく撮影を行う。一方、３次元撮影を行う場合は、ビデオカメラ２００に３Ｄアダプタ３００を取り付けて撮影を行う。
【００１３】
ビデオカメラ２００は、光軸Ａ１を有する本体光学系Ｓ１（詳しくは後述する）と撮像素子とを備えている。本体光学系Ｓ１は、所謂、１軸光学系である。本体光学系Ｓ１は、被写体からの光を取り込み、撮像素子の撮像面に結像させる。撮像素子は、撮像面に結像した光学像を電気信号に変換して出力する。例えば、撮像素子は、ＭＯＳイメージセンサ、ＣＣＤイメージセンサ、又はＣＭＯＳイメージセンサ等で構成される。ビデオカメラ２００は、静止画及び動画の撮影を行う。
【００１４】
３Ｄアダプタ３００は、ビデオカメラ２００に着脱可能なコンバージョンレンズである。３Ｄアダプタ３００は、光軸ＡＬ及び光軸ＡＲを有する２軸光学系を備えている。ビデオカメラ２００に３Ｄアダプタ３００を装着することによって、１軸光学系を２軸光学系に切り替えることができる。つまり、３Ｄアダプタを用いることによって、左右一対の光学系による並置撮影方式の撮影を行うことができる。
【００１５】
図３に、ビデオカメラユニット１００の光学系の構成図を示す。ビデオカメラ２００の本体光学系Ｓ１は、光軸Ａ１上に並んだ第１〜第４レンズ群Ｇ１〜Ｇ４を有している。第１レンズ群Ｇ１は、最も被写体側に位置するレンズ群である。第２レンズ群Ｇ２は、ズームレンズ群である。第３レンズ群Ｇ３は、像ブレを補正するためのレンズ群である。第４レンズ群Ｇ４は、フォーカスレンズ群である。尚、本明細書において、「レンズ群」は、１つのレンズで構成される場合もあれば、複数のレンズで構成される場合もある。
【００１６】
３Ｄアダプタ３００は、２軸光学系としての左眼光学系ＳＬ及び右眼光学系ＳＲを備えている。左眼光学系ＳＬ及び右眼光学系ＳＲは、実質的にアフォーカル光学系である。左眼光学系ＳＬと右眼光学系ＳＲとは、対称な構成をしている。左眼光学系ＳＬは、光軸ＡＬ上に並んだ第１左レンズ群Ｇ１Ｌ、第２左レンズ群Ｇ２Ｌ及び左プリズム群ＰＬを有している。右眼光学系ＳＲは、光軸ＡＲ上に並んだ第１右レンズ群Ｇ１Ｒ、第２右レンズ群Ｇ２Ｒ及び右プリズム群ＰＲを有している。光軸ＡＬと光軸ＡＲとは、略平行である。また、光軸ＡＬ及び光軸ＡＲのそれぞれは、光軸Ａ１と略平行である。
【００１７】
さらに詳しくは、第１左及び第１右レンズ群Ｇ１Ｌ，Ｇ１Ｒは、全体として負の焦点距離（負の屈折力）を有している。第１左レンズ群Ｇ１Ｌは、第１左レンズＬ１Ｌ、第２左レンズＬ２Ｌ及び第３左レンズＬ３Ｌを有している。同様に、第１右レンズ群Ｇ１Ｒは、第１右レンズＬ１Ｒ、第２右レンズＬ２Ｒ及び第３右レンズＬ３Ｒを有している。第２左及び第２右レンズ群Ｇ２Ｌ，Ｇ２Ｒは、全体として正の焦点距離（正の屈折力）を有している。第２左レンズ群Ｇ２Ｌは、第４左レンズＬ４Ｌ、第５左レンズＬ５Ｌ及び第６左レンズＬ６Ｌを有している。同様に、第２右レンズ群Ｇ２Ｒは、第４右レンズＬ４Ｒ、第５右レンズＬ５Ｒ及び第６右レンズＬ６Ｒを有している。左及び右プリズム群ＰＬ，ＰＲは、ウェッジプリズムである。左プリズム群ＰＬは、第１左及び第２左レンズ群Ｇ１Ｌ，Ｇ２Ｌを透過した光を、ビデオカメラ２００の本体光学系Ｓ１に導くように屈折させる。右プリズム群ＰＲは、第１右及び第２右レンズ群Ｇ１Ｒ，Ｇ２Ｒを透過した光を、ビデオカメラ２００の本体光学系Ｓ１に入射するように屈折させる。左プリズム群ＰＬは、第１左プリズムＰ１Ｌ及び第２左プリズムＰ２Ｌを有している。同様に、右プリズム群ＰＲは、第１右プリズムＰ１Ｒ及び第２右プリズムＰ２Ｒを有している。
【００１８】
左眼光学系ＳＬの光軸ＡＬは、第１左レンズ群Ｇ１Ｌ及び第２左レンズ群Ｇ２Ｌの各レンズの主点を通っている。また、右眼光学系ＳＲの光軸ＡＲは、第１右レンズ群Ｇ１Ｒ及び第２右レンズ群Ｇ２Ｒの各レンズの主点を通っている。光軸ＡＬと光軸ＡＲとは、厳密には平行ではなく、被写体側へ行くにしたがって互いに接近するように傾斜している。すなわち、光軸ＡＬと光軸ＡＲとは、所定の輻輳角を有しており、所定の輻輳点において交わる。また、光軸ＡＬ及び光軸ＡＲは、厳密には光軸Ａ１と平行ではなく、光軸Ａ１に対して角度を有している。
【００１９】
左眼光学系ＳＬに入射する、被写体からの光は、本体光学系Ｓ１を通って撮像素子に結像する。一方、右眼光学系ＳＲに入射する、被写体からの光は、本体光学系Ｓ１を通って撮像素子に結像する。左眼光学系ＳＬを介して撮像素子に結像する光学像と、右眼光学系ＳＲを介して撮像素子に結像する光学像とは、視差を有している。
【００２０】
尚、ビデオカメラ２００は、３Ｄアダプタ３００が装着されていないときには、撮像素子の撮像面全体を使って光学像を撮影する。一方、ビデオカメラ２００は、３Ｄアダプタ３００が装着されているときには、撮像素子の撮像面における左眼用領域に形成された光学像を左眼用画像として切り出し、撮像面における右眼用領域に形成された光学像を右眼用画像として切り出す。
【００２１】
［２．３Ｄアダプタの概略構成］
図４に、３Ｄアダプタ３００の、右斜め前方且つ上方からの分解斜視図を、図５に、３Ｄアダプタ３００の、左斜め後方且つ上方からの斜視図を、図６に、フロントケーシング４３０を取り外した状態の３Ｄアダプタ３００の正面図を示す。
【００２２】
３Ｄアダプタ３００は、ケーシング４００と、ケーシング４００に収容される鏡筒ユニット５００と、鏡筒ユニット５００の姿勢を調整する第１調整機構６００とを備えている。
【００２３】
ケーシング４００は、アッパケーシング４１０と、ロアケーシング４２０と、フロントケーシング４３０と、バックケーシング４４０と、を有している。バックケーシング４４０は、鏡筒ユニット５００の後部を覆っている。アッパケーシング４１０とロアケーシング４２０とは、バックケーシング４４０が取り付けられた状態の鏡筒ユニット５００を上下から挟み込んでいる。アッパケーシング４１０及びロアケーシング４２０の前端にフロントケーシング４３０が取り付けられる。ここで、鏡筒ユニット５００の上部の前端には、左右方向に延びるシャフト６５１が設けられており、このシャフト６５１にカバー４１２が回動自在に取り付けられる。このカバー４１２は、アッパケーシング４１０の上面に形成された操作部４１１を覆う部材である。
【００２４】
操作部４１１には、図５に示すように、第１調整機構６００を操作するための第１及び第２ダイヤル６１０，６２０（詳しくは、後述する）が設けられている。カバー４１２を開けることによって操作部４１１が現れ、第１及び第２ダイヤル６１０，６２０を操作することができる。カバー４１２は、撮影時などには、図１に示すように閉じた状態にしておく。
【００２５】
鏡筒ユニット５００は、左眼光学系ＳＬ及び右眼光学系ＳＲを構成するレンズ及びプリズムを保持している。尚、図４では、鏡筒ユニット５００のフロントパネル５１２を分離した状態を図示している。鏡筒ユニット５００の詳細な構成については、後述する。
【００２６】
第１調整機構６００は、ケーシング４００と鏡筒ユニット５００との間に介設されている。第１調整機構６００は、ケーシング４００に対する鏡筒ユニット５００のピッチ方向及びヨー方向の向きを調整する。
【００２７】
［３．第１調整機構］
図７に、第１調整機構６００の、左斜め前方且つ上方からの分解斜視図を示す。第１調整機構６００は、第１ダイヤル６１０と、第２ダイヤル６２０と、第１プレート６３０と、第２プレート６４０と、マウント６５０とを有している。尚、図７では、第１ダイヤル６１０の図示を省略している。第１ダイヤル６１０は、鏡筒ユニット５００のピッチ方向の向きを調整するためのダイヤルである。第２ダイヤル６２０は、鏡筒ユニット５００のヨー方向の向きを調整するためのダイヤルである。
【００２８】
鏡筒ユニット５００の上部の前端部には、マウント６５０が設けられている。第２ダイヤル６２０は、このマウント６５０に設置されている。また、マウント６５０には、前記カバー４１２を支持するためのシャフト６５１が設けられている。
【００２９】
第１及び第２プレート６３０，６４０は、板金で形成されている。第１プレート６３０と第２プレート６４０とは、重なり合った状態で、後端部がリベット６３５ａを介して互いに連結されている。第１プレート６３０と第２プレート６４０とは、後端部を上下方向に貫通する軸Ｒ１を中心に相対回転可能となっている。さらに、第１プレート６３０と第２プレート６４０とは、前後方向中央よりも少し前方の２箇所においてリベット６３５ｂで連結されている。リベット６３５ｂは、第２プレート６４０に形成された貫通穴６４１を貫通している。この貫通穴６４１は、軸Ｒ１を中心とする円弧に沿った長孔状に形成されている。そのため、第１プレート６３０と第２プレート６４０とは、リベット６３５ｂによって連結されているものの、軸Ｒ１を中心に相対的に回動することができる。
【００３０】
第１プレート６３０は、アッパケーシング４１０に取り付けられ、第２プレート６４０は、鏡筒ユニット５００に取り付けられる。詳しくは、第１プレート６３０は、左右の両端部に後方に延びる２つのアーム部６３１が設けられている。アーム部６３１は、比較的細く形成されており、容易に変形する。これらのアーム部６３１の先端には、ネジを介してブラケット６３２が取り付けられている。このブラケット６３２は、アッパケーシング４１０にネジ締結される。第２プレート６４０には、３つの取付孔６４２が形成されている。第２プレート６４０は、取付孔６４２を介して、鏡筒ユニット５００の上部にネジ締結される。
【００３１】
［３−１．ピッチ方向］
まず、ピッチ方向の向きを調整するための構成について説明する。第１プレート６３０の前端部には、連結部６３３が設けられており、この連結部６３３にはネジ孔が形成されている。このネジ孔には、第１ダイヤル６１０が螺合している。詳しくは、第１ダイヤル６１０は、図４に示すように、円盤状のダイヤル部６１１と、ダイヤル部６１１の中心から下方に延びるシャフト６１２とを有している。第１ダイヤル６１０は、ダイヤル部６１１が操作部４１１に位置し、シャフト６１２がケーシング４００の内方に進入するようにしてアッパケーシング４１０に配設されている。第１ダイヤル６１０は、スナップリング６５２が取り付けられる。これにより、第１ダイヤル６１０は、アッパケーシング４１０から抜けないようになっている。シャフト６１２の先端部には、ネジ部が設けられている。このシャフト６１２のネジ部が、連結部６３３のネジ孔に螺合している。このとき、シャフト６１２の、スナップリング６５２と連結部６３３との間には、圧縮状態のコイルバネ６５３が装着されている。
【００３２】
このような構成において、第１ダイヤル６１０を回転させると、シャフト６１２に螺合している連結部６３３が上下動する。第１プレート６３０は、前述の如く、アーム部６３１がブラケット６３２を介してアッパケーシング４１０に取り付けられていると共に、アーム部６３１が変形しやすい形状に形成されている。そのため、連結部６３３が上下動すると、アーム部６３１が変形して、左右のアーム部６３１を通過する軸Ｒ２周りに第１プレート６３０が回動する。その結果、鏡筒ユニット５００も軸Ｒ２周りに回動する。このように、第１ダイヤル６１０を回転させることによって、鏡筒ユニット５００のピッチ方向の向きを調整することができる。
【００３３】
ここで、第１ダイヤル６１０を回転させ過ると、シャフト６１２のネジ部が連結部６３３のネジ孔から抜け出る場合がある。しかしながら、本実施形態によれば、第１ダイヤル６１０を逆向きに回転させることによって、シャフト６１２のネジ部を連結部６３３のネジ孔に容易に螺合させることができる。詳しくは、鏡筒ユニット５００の下部には、図４，６に示すように、後述する第１板バネ７５が設けられている。一方、ロアケーシング４２０の内周面には、リブ状の当接部４２１が設けられている。第１板バネ７５は、ケーシング４００が鏡筒ユニット５００を収容した状態において、当接部４２１に当接して弾性変形している。つまり、鏡筒ユニット５００は、第１板バネ７５の弾性力により上方に付勢されている。一方、第１プレート６３０の連結部６３３には、圧縮状態のコイルバネ６５３が当接している。つまり、鏡筒ユニット５００は、コイルバネ６５３の弾性力により下方に付勢されている。そのため、シャフト６１２のネジ部が連結部６３３のネジ孔から抜け出たとしても、鏡筒ユニット５００は、第１板バネ７５の弾性力とコイルバネ６５３の弾性力との合力によって連結部６３３がシャフト６１２のネジ部に近づく方向へ付勢される。その結果、第１ダイヤル６１０を逆向きに回転させることによってシャフト６１２のネジ部を連結部６３３のネジ孔に容易に螺合させることができる。
【００３４】
［３−２．ヨー方向］
次に、ヨー方向の向きを調整するための構成について説明する。第２ダイヤル６２０は、図７に示すように、円盤状のダイヤル部６２１と、シャフト６２２と、ダイヤル部６２１とシャフト６２２とを連結するユニバーサルジョイント６２３とを有している。ダイヤル部６２１は、マウント６５０に設置されている。ダイヤル部６２１は、部分的に操作部４１１に露出している（図５参照）。シャフト６２２は、円筒部６２２ａと、円筒部６２２ａに連結されるシャフト部６２２ｂとを有している。シャフト部６２２ｂには、基端部寄りの位置にネジ部６２２ｃが設けられている。シャフト６２２は、略左右方向に延びた状態で配置されている。第１プレート６３０の前端部には、貫通孔を有するブラケット６３４が設けられている。シャフト部６２２ｂは、ブラケット６３４の貫通孔を貫通しており、シャフト部６２２ｂの基端部及び円筒部６２２ａがブラケット６３４に当接している。また、第２プレート６４０の前端部には右ブラケット６４３と左ブラケット６４４とが対向して設けられている。右ブラケット６４３には、ネジ孔が形成されている。左ブラケット６４４には、右ブラケット６４３のネジ孔と同軸上に貫通孔が形成されている。第１プレート６３０のブラケット６３４を貫通したシャフト部６２２ｂは、ネジ部６２２ｃが右ブラケット６４３のネジ孔に螺合すると共に、先端部が左ブラケット６４４の貫通孔に挿通される。シャフト部６２２ｂの、左ブラケット６４４よりも先端側には圧縮状態のコイルバネ６２４が装着され、さらに先端側にスナップリング６２５が取り付けられている。
【００３５】
このような構成において、第２ダイヤル６２０を回転させると、シャフト部６２２ｂに螺合している右ブラケット６４３が左右に移動する。第１プレート６３０は、ケーシング４００に取り付けられており、第２プレート６４０は、第１プレート６３０に軸Ｒ１を中心に回動自在に連結されている。そのため、右ブラケット６４３が左右に移動すると、第２プレート６４０は、ケーシング４００に対して軸Ｒ１を中心に回動する。この第２プレート６４０は、鏡筒ユニット５００に取り付けられている。したがって、鏡筒ユニット５００も、第２プレート６４０と共に軸Ｒ１周りに回動する。このように、第２ダイヤル６２０を回転させることによって、鏡筒ユニット５００のヨー方向の向きを調整することができる。
【００３６】
ここで、第２ダイヤル６２０を回転させ過ぎると、シャフト部６２２ｂのネジ部６２２ｃが右ブラケット６４３のネジ孔から抜け出る場合がある。しかしながら、本実施形態によれば、第２ダイヤル６２０を逆向きに回転させることによって、シャフト部６２２ｂのネジ部６２２ｃを右ブラケット６４３のネジ孔に容易に螺合させることができる。詳しくは、第１プレート６３０の前端部には、左側に延びるアーム部６３６が設けられている。第２プレート６４０の前端部には、アーム部６４５が設けられている。これらアーム部６３６，６４５には、伸縮状態のコイルバネ６２６が取り付けられている（図４参照）。このコイルバネ６２６の弾性力により、第１プレート６３０と第２プレート６４０とは、アーム部６３６，６４５同士が接近する方向にＲ１軸周りに付勢されている。すなわち、第１プレート６３０と第２プレート６４０とは、コイルバネ６２６により、右ブラケット６４３がシャフト６２２ｂの先端に向かうように付勢されている。一方、前述の如く、シャフト部６２２ｂの前端部には、圧縮状態のコイルバネ６２４が装着されている。このコイルバネ６２４の弾性力により、第２プレート６４０は、左ブラケット６４４がシャフト部６２２ｂの基端側に向かうように、即ち、右ブラケット６４３もシャフト部６２２ｂの基端側に向かうように付勢されている。その結果、右ブラケット６４３がシャフト部６２２ｂのネジ部６２２ｃよりも基端側に位置するようになっても、右ブラケット６４３は、コイルバネ６２６によりネジ部６２２ｃに接近するように付勢される。一方、右ブラケット６４３がシャフト部６２２ｂのネジ部６２２ｃよりも先端側に位置するようになったとしても、右ブラケット６４３は、コイルバネ６２４によりネジ部６２２ｃに接近するように付勢される。よって、シャフト部６２２ｂのネジ部６２２ｃが右ブラケット６４３のネジ孔から抜け出たとしても、第２ダイヤル６２０を逆向きに回転させることによってシャフト部６２２ｂのネジ部６２２ｃを右ブラケット６４３のネジ孔に容易に螺合させることができる。
【００３７】
［４．鏡筒ユニット］
図８に、鏡筒ユニット５００全体の、右斜め前方且つ上方からの分解斜視図を示す。鏡筒ユニット５００は、本体枠１と、中間レンズ枠４と、プリズム枠５と、第２調整機構６とを備えている。本体枠１は、第１左レンズ群Ｇ１Ｌを保持している。詳しくは後述するが、第２調整機構６の一部を構成する可動レンズ枠３は、第１右レンズ群Ｇ１Ｒを保持している。中間レンズ枠４は、第２左及び第２右レンズ群Ｇ２Ｌ，Ｇ２Ｒを保持している。プリズム枠５は、プリズム群ＰＬ，ＰＲを保持している。本体枠１、中間レンズ枠４及びプリズム枠５は、取付ネジ５１１を介して一体に結合されている。可動レンズ枠３は、シャフト６０を介して本体枠１に支持されている。第２調整機構６は、本体枠１に対する、第１右レンズ群Ｇ１Ｒの略前後、左右、上下方向の位置を調整することができる。鏡筒ユニット５００の前端には、フロントパネル５１２（図４にのみ図示）が取り付けられ、鏡筒ユニット５００の後端には、ロアパネル（図示省略）が取り付けられている。第１左レンズ群Ｇ１Ｌが第１のレンズの一例であり、第１右レンズ群Ｇ１Ｒが第２のレンズの一例である。シャフト６０が軸の一例である。可動レンズ枠３がレンズ枠の一例である。第２調整機構が調整機構の一例である。
【００３８】
［４−１．本体枠及び第２調整機構］
図９に、本体枠１及び第２調整機構６の、右斜め前方且つ上方からの分解斜視図を、図１０に、本体枠１及び第２調整機構６の、左斜め前方且つ下方からの分解斜視図を、図１１に、鏡筒ユニット５００の、左斜め前方且つ上方からの斜視図を、図１２に、鏡筒ユニット５００の、右斜め前方且つ下方からの斜視図を示す。
【００３９】
本体枠１は、図９，１０に示すように、互いに連結された左筒部１１Ｌと右筒部１１Ｒとを有する、樹脂製の筒状の部材である。詳しくは、本体枠１は、略平行に並ぶ二本の円筒を側周面において結合して一本の筒にした形状をしている。本体枠１の後端には、中間レンズ枠４を取り付けるためのフランジ１２が設けられている。フランジ１２には、取付ネジ５１１が挿通させられる挿通孔１２ａが、右上の隅と、左上の隅と、下部の左右中央との３箇所に形成されている。本体枠１の内部には、遮光板１３が設けられている（図９にのみ図示）。本体枠１の内部空間は、遮光板によって左眼用スペースと右眼用スペースとに仕切られている。左筒部１１Ｌの前端には、レンズ枠部１４が設けられている。レンズ枠部１４は、第１レンズ群Ｇ１Ｌを保持している。右筒部１１Ｒの前端には、レンズ枠部１４よりも大きく開口する開口部１５が形成されている。
【００４０】
第２調整機構６は、第１右レンズ群Ｇ１Ｒを保持する可動レンズ枠３と、本体枠１に設けられ、可動レンズ枠３を支持するシャフト６０と、可動レンズ枠３を所定の方向に付勢するコイルバネ７４及び第１板バネ７５と、シャフト６０を所定の方向に付勢する第２板バネ７６と、可動レンズ枠３の位置を調整する第１〜第３調整ネジ７１〜７３とを有している。シャフト６０は、金属製である。
【００４１】
可動レンズ枠３は、樹脂製であって、図９，１０に示すように、枠状の本体部３１と、軸受部３２と、第１突片３３と、第２突片３４とを有している。本体部３１は、略方形の平板と円筒とを組み合わせた形状をしている。詳しくは、本体部３１は、平板の中央に開口が形成され、この開口に円筒が設けられている。第１右レンズ群Ｇ１Ｒは、本体部３１の円筒に保持されている。軸受部３２は、本体部の下辺において後方に延びるように設けられている。軸受部３２には、図１０に示すように、２つの壁部３２ａが設けられている。各壁部３２ａには、前後方向に貫通する貫通孔が形成されている。これらの貫通孔には、シャフト６０が挿通される。第１突片３３は、図９に示すように、本体部３１の上辺の中央よりも少し右寄りの部分において後方に突出している。第１突片３３には、左右方向に貫通する貫通孔３３ａが形成されている。この貫通孔３３ａには、第２調整ネジ７２が挿通される。第２調整ネジ７２は、本体枠１に締結される。第２突片３４は、図９，１０に示すように、本体部３１の下辺において軸受部３２の左側に設けられている。第２突片３４と軸受部３２とは、一体に形成されている。第２突片３４には、前後方向に貫通する貫通孔３４ａ（図１０にのみ図示）が形成されている。この貫通孔３４ａには、第１調整ネジ７１が挿通される。第１調整ネジ７１は、本体枠１に締結される。また、第２突片３４には、後述する第１板バネ７５が当接する当接部３４ｂが左方に突出して形成されている。
【００４２】
右筒部１１Ｒの外周面における、下方且つ後方の位置には、図１０，１２に示すように、ボス部１６が設けられている。詳しくは後述するが、ボス部１６には、前方に開口する嵌合孔が形成されている。このボス部１６の嵌合孔に、シャフト６０の基端部が挿通されている。シャフト６０は、略光軸方向に延びている。シャフト６０の先端は、本体枠１の下部に取り付けられた第２板バネ７６で支持されている。第２板バネ７６には、挿通孔７６ｂが形成されており、挿通孔７６ｂには第３調整ネジ７３が挿通されている。第３調整ネジ７３は、本体枠１に締結されている。本体枠１の下部には、第２板バネ７６の左側に第１板バネ７５が取り付けられている。第１板バネ７５は、可動レンズ枠３の当接部３４ｂに当接している。
【００４３】
可動レンズ枠３は、図１２に示すように、本体枠１のシャフト６０に支持されている。詳しくは、可動レンズ枠３の軸受部３２に、シャフト６０が挿通されている。このとき、シャフト６０の、可動レンズ枠３の軸受部３２と本体枠１のボス部１６との間にはコイルバネ７４が装着されている。このように可動レンズ枠３がシャフト６０に支持される結果、可動レンズ枠３は、本体枠１の開口部１５（図９，１０にのみ図示）を覆った状態となり、第１右レンズ群Ｇ１Ｒと第１左レンズ群Ｇ１Ｌとが左右に並んだ状態となる。そして、第１〜第３調整ネジ７１〜７３を操作することによって、第１右レンズ群Ｇ１Ｒの略前後、左右、上下方向の位置を調整することができる。この調整の詳細については、後述する。
【００４４】
［４−２．中間レンズ枠］
図１３に、中間レンズ枠４の、左斜め前方且つ上方からの斜視図を示す。中間レンズ枠４は、樹脂製であって、本体部４１と、本体部４１の外周面に設けられた前側及び後側リブ４２，４３とを有している。本体部４１は、互いに連結された左筒部４１Ｌと右筒部４１Ｒとを有する筒状の部材である。詳しくは、本体部４１は、略平行に並ぶ二本の円筒を側周面において一体に結合した形状をしている。左筒部４１Ｌと右筒部４１Ｒとの間には、仕切板４４が設けられている。左筒部４１Ｌは、第２左レンズ群Ｇ２Ｌを保持している。右筒部４１Ｒは、第２右レンズ群Ｇ２Ｒを保持している。図示は省略するが、第４左レンズＬ４Ｌは、左筒部４１Ｌの前部に保持されている。第５左レンズＬ５Ｌ及び第６左レンズＬ６Ｌは、左筒部４１Ｌの後部に保持されている。また、第４右レンズＬ４Ｒは、右筒部４１Ｒの前部に保持されている。第５右レンズＬ５Ｒ及び第６右レンズＬ６Ｒは、右筒部４１Ｒの後部に保持されている。
【００４５】
前側リブ４２は、本体部４１の前部に設けられている。前側リブ４２は、本体部４１の外周面の全周に亘って設けられ、フランジ状に形成されている。そのため、前側リブ４２は、前側フランジ４２と称することもできる。前側リブ４２は、光軸Ａ１と直交する面内、即ち、光軸ＡＬと光軸ＡＲと概ね直交する面内で延びている。
【００４６】
後側リブ４３は、本体部４１の後部に設けられている。後側リブ４３は、本体部４１の外周面の全周に亘って設けられ、フランジ状に形成されている。そのため、後側リブ４３は、後側フランジ４３と称することもできる。後側リブ４３は、光軸Ａ１と直交する面内、即ち、光軸ＡＬと光軸ＡＲと概ね直交する面内で延びている。
【００４７】
前側リブ４２と後側リブ４３との間には、複数のボス部４５が設けられている。詳しくは、中間レンズ枠４の右上の隅と、左上の隅と、下部の左右中央との３箇所にボス部４５が設けられている。ボス部４５には、前後方向に貫通する挿通孔４５ａが形成されている。詳しくは後述するが、前側及び後側リブ４２，４３は、本体枠１、中間レンズ枠４及びプリズム枠５を取り付ける際のフランジとして機能する。
【００４８】
［４−３．プリズム枠］
プリズム枠５は、樹脂製であって、図８に示すように、本体部５１と、本体部５１の外周面に設けられたフランジ５２とを有している。本体部５１は、略平行に並ぶ二本の円筒を側周面において一体に結合した筒状の部材である。フランジ５２は、本体部５１の前端において、本体部５１の外周面の全周に亘って設けられている。フランジ５２には、複数のボス部５３が設けられている。詳しくは、フランジ５２の右上の隅と、左上の隅と、下部の左右中央との３箇所にボス部５３が設けられている。ボス部５３には、前方に開口するネジ孔５３ａが形成されている。
【００４９】
［４−４．組み立て］
このように構成された本体枠１、中間レンズ枠４及びプリズム枠５は、取付ネジ５１１を介して結合される。詳しくは、図１１，１２に示すように、本体枠１のフランジ１２と中間レンズ枠４の前側リブ４２が重ね合わされる。また、中間レンズ枠４の後側リブ４３とプリズム枠５のフランジ５２とが重ね合わされる。この状態で、取付ネジ５１１を、フランジ１２の挿通孔１２ａ及びボス部４５の挿通孔４５ａに挿通させ、フランジ５２のネジ孔５３ａに螺合させる。こうして、本体枠１、中間レンズ枠４及びプリズム枠５が一体に結合される。
【００５０】
［５．第１右レンズ群の位置調整］
以下に、第１右レンズ群Ｇ１Ｒの位置調整について説明する。尚、第１右レンズ群Ｇ１Ｒの位置調整は、ユーザが行ってもよいし、出荷前やメンテナンス時に工場内で行ってもよい。
【００５１】
［５−１．第１右レンズ群の前後方向の位置調整］
まず、第１右レンズ群Ｇ１Ｒの前後方向への位置調整について説明する。詳しくは、本体枠１のうち、可動レンズ枠３の第２突片３４と対向する部分には、図１０に示すように、ネジ孔１７が形成されている。第２突片３４の貫通孔３４ａには、第１調整ネジ７１が挿通され、この第１調整ネジ７１は、ネジ孔１７に螺合している。第１調整ネジ７１をネジ孔１７に螺合させることによって、コイルバネ７４が圧縮状態となっている。
【００５２】
この状態において、第１調整ネジ７１を締めることによって、コイルバネ７４の弾性力に抗して、可動レンズ枠３をシャフト６０に沿って後方に移動させることができる。一方、第１調整ネジ７１を緩めることによって、コイルバネ７４の弾性力により、可動レンズ枠３をシャフト６０に沿って前方へ移動させることができる。このように第１調整ネジ７１を操作することによって、可動レンズ枠３、即ち、第１右レンズ群Ｇ１Ｒの略前後方向の位置を調整することができる。第１調整ネジ７１及びコイルバネ７４が第１調整部の一例であり、前後方向が第１方向の一例である。
【００５３】
第１右レンズ群Ｇ１Ｒの前後方向位置を調整することによって、左眼光学系ＳＬの焦点の位置と右眼光学系ＳＲの焦点の位置とを合わせることができる。詳しくは、本来は１軸光学系のビデオカメラユニット１００を３Ｄアダプタ３００によって２軸光学系に切り替える構成においては、フォーカスレンズは、ビデオカメラユニット１００の１軸光学系に含まれ、３Ｄアダプタ３００の２軸光学系にはフォーカスレンズが設けられていないことが通常である。その場合、左眼用画像と右眼用画像の焦点は、ビデオカメラユニット１００のフォーカスレンズによって同時に調整される。そのため、３Ｄアダプタ３００においては、左眼光学系ＳＬの焦点位置と右眼光学系ＳＲとの焦点位置とを合わせておく必要がある。前記の構成によれば、第１右レンズ群Ｇ１Ｒの前後方向位置を調整することができるので、左眼光学系ＳＬの焦点位置と右眼光学系ＳＲとの焦点位置とを合わせることができる。
【００５４】
尚、貫通孔３４ａの内径は第１調整ネジ７１の外径に比べて大きいため、後述する可動レンズ枠３の左右方向及び上下方向への移動を阻害しない。
【００５５】
［５−２．第１右レンズ群の左右方向の位置調整］
次に、第１右レンズ群Ｇ１Ｒの略左右方向への位置調整について説明する。詳しくは、左筒部１１Ｌの下部には、図１０，１２に示すように、第１ベース部１８が設けられている。第１ベース部１８には、第１板バネ７５がネジ１８ａにより取り付けられる。第１ベース部１８には、２つの位置決めピン１８ｂが設けられている。第１板バネ７５は、位置決めピン１８ｂにより位置決めがなされる。第１板バネ７５は、第１自由端７５ａと第２自由端７５ｂとを有している。第１自由端７５ａは、平板状に形成されて、前方に延びている。第２自由端７５ｂは、前方且つ下方に傾斜して延びている。第１自由端７５ａは、可動レンズ枠３の第２突片３４の当接部３４ｂに当接している。
【００５６】
一方、図１０に示すように、本体枠１の上部には、第１突片３３と対向する部分にネジ孔１９が形成されている。図１１に示すように、第１突片３３の貫通孔３３ａには、第２調整ネジ７２が挿通され、この第２調整ネジ７２は、ネジ孔１９に螺合している。第２調整ネジ７２をネジ孔１９に螺合させることによって、可動レンズ枠３はシャフト６０を中心に、第１突片３３が左側に移動するように回動し、それにより第２突片３４が下方へ移動する。その結果、第１板バネ７５の第１自由端７５ａは、下方へ弾性変形している。
【００５７】
この状態において、第２調整ネジ７２を締めることによって、可動レンズ枠３は、シャフト６０を中心とし、第１突片３３、即ち、可動レンズ枠３の上部が左側へ移動するように回動させられる。このとき、第１板バネ７５はさらに下方へ弾性変形させられる。一方、第２調整ネジ７２を緩めることによって、第１板バネ７５の第１自由端７５ａの弾性力により、可動レンズ枠３は、シャフト６０を中心とし、第１突片３３、即ち、可動レンズ枠３の上部が右側へ移動するように回動させられる。
【００５８】
ここで、シャフト６０は、可動レンズ枠３の下部に位置し、第２調整ネジ７２は、可動レンズ枠３の上部に位置する。それに加えて、第１右レンズ群Ｇ１Ｒの光軸の移動量は、シャフト６０と第１レンズ群Ｇ１Ｒの光軸との距離に比べて微小である。そのため、可動レンズ枠３が前述のように回動させられる結果、第１右レンズ群Ｇ１Ｒは、略左右に平行移動するとみなすことができる。つまり、第２調整ネジ７２を操作することによって、可動レンズ枠３、即ち、第１右レンズ群Ｇ１Ｒの略左右方向の位置を調整することができる。第２調整ネジ７２及び第１板バネ７５が第３調整部の一例であり、左右方向が第２方向の一例である。
【００５９】
第１右レンズ群Ｇ１Ｒの左右方向位置を調整することによって、左眼光学系ＳＬと右眼光学系ＳＲとの輻輳点を調整することができる。詳しくは、右眼光学系ＳＲの光軸ＡＲは、前述の如く、左眼光学系ＳＬの光軸ＡＬに対して、厳密には平行ではなく、微小な角度を有している。第１右レンズ群Ｇ１Ｒの左右方向位置が変化すると、右眼光学系ＳＲの光軸ＡＲは、左眼光学系ＳＬの光軸ＡＬに対して傾斜した状態で左右に平行移動する。その結果、光軸ＡＲと光軸ＡＬとの輻輳点の位置が変化する。つまり、第１右レンズ群Ｇ１Ｒの左右方向位置を調整することによって、左眼光学系ＳＬと右眼光学系ＳＲとの輻輳点を調整することができる。
【００６０】
尚、貫通孔３３ａの内径は第２調整ネジ７２の外径に比べて大きいため、可動レンズ枠３の前後方向及び上下方向への移動を阻害しない。
【００６１】
尚、第１板バネ７５の第２自由端７５ｂは、前述の如く、鏡筒ユニット５００がケーシング４００に収容された状態において、ロアケーシング４２０の当接部４２１に当接して弾性変形する。つまり、第２自由端７５ｂは、鏡筒ユニット５００を上方に付勢する。
【００６２】
［５−３．第１右レンズ群の上下方向の位置調整］
次に、第１右レンズ群Ｇ１Ｒの上下方向への位置調整について説明する。図１４に、シャフト６０の基端部及びボス部１６の断面図を示す。ボス部１６の嵌合孔１６ａは、開口端に向かって内径が大きくなるテーパ孔である。厳密には、嵌合孔１６ａは、平行部１６ｂと、テーパ部１６ｃとを有している。平行部１６ｂは、内径が変わらない平行孔であって、嵌合孔１６ａの底側に位置している。テーパ部１６ｃは、開口端に向かって内径が大きくなるテーパ状に形成されており、平行部１６ｂよりも開口端側に位置している。平行部１６ｂの長さは僅かであり、嵌合孔１６ａの大部分はテーパ部１６ｃで構成されている。そのため、シャフト６０は、嵌合孔１６ａにより傾動可能に支持されている。尚、シャフト６０の基端部は、面取りされている。この面取りにより、シャフト６０の基端面と、嵌合孔１６ａの底面との接触面積が小さくなっている。これにより、シャフト６０は、嵌合孔１６ａに対してさらに傾動しやすくなっている。一方、シャフト６０の先端は、第２板バネ７６に支持されている。図１０，１２に示すように、右筒部１１Ｒの外周面における下方の位置であってボス部１６の右側には、第２ベース部２０が設けられている。第２板バネ７６は、第２ベース部２０にネジ２０ａを介して取り付けられている。第２ベース部２０には、２つの位置決めピン２０ｂが設けられている。第２板バネ７６は、位置決めピン２０ｂにより位置決めがなされる。また、第２板バネ７６の前端部は、上方に屈曲している。第２板バネ７６の前端部には、係合孔７６ａが形成されている。シャフト６０の先端は、面取りされてテーパ状になっており、係合孔７６ａに係合している。こうして、第２板バネ７６がシャフト６０の先端を支持している。ここで、第２板バネ７６は、後部だけが第２ベース部２０に当接しており、前部は、右筒部１１Ｒと当接しておらず、右筒部１１Ｒから離間している。第２板バネ７６の前部には、図１０に示すように、挿通孔７６ｂが貫通形成されている。右筒部１１Ｒのうち、第２板バネ７６の挿通孔７６ｂと対向する部分にはネジ孔２２が形成されている。第２板バネ７６の挿通孔７６ｂには、第３調整ネジ７３が挿通され、この第３調整ネジ７３がネジ孔２２に螺合している。第３調整ネジ７３の螺合により、第２板バネ７６の前部は、上方へ弾性変形している。
【００６３】
この状態において、第３調整ネジ７３を締めることによって、第２板バネ７６の弾性力に抗して、シャフト６０を上方に傾動させることができる。一方、第３調整ネジ７３を緩めることによって、第２板バネ７６の弾性力により、シャフト６０を下方へ傾動させることができる。こうすることで、可動レンズ枠３は、シャフト６０の基端部を中心に上下に回動することになる。ここで、第１右レンズ群Ｇ１Ｒの光軸の移動量は、シャフト６０の長さに比べて微小である。そのため、可動レンズ枠３が前述のように回動させられる結果、第１右レンズ群Ｇ１Ｒは、略上下に平行移動するとみなすことができる。つまり、第３調整ネジ７３を操作することによって、可動レンズ枠３、即ち、第１右レンズ群Ｇ１Ｒの略上下方向の位置を調整することができる。第３調整ネジ７３及び第２板バネ７６が第２調整部の一例であり、上下方向が第２方向の一例である。
【００６４】
第１右レンズ群Ｇ１Ｒの上下方向位置を調整することによって、左眼用画像と右眼用画像の上下位置を合わせることができる。詳しくは、左眼用画像と右眼用画像とで３次元画像を形成するため、左眼用画像の撮影範囲と右眼用画像の撮影範囲とが一致することが好ましい。また、撮像素子の撮像面には、左眼用画像が結像する領域と右眼用画像が結像する領域とが設定されているため、左眼用画像と右眼用画像とを所定の位置に結像させる必要がある。本実施形態によれば、第２調整機構６が設けられているので、左眼用画像と右眼用画像との全体的な上下位置を調整することができる。そのため、左眼用画像と右眼用画像との相対的な上下位置を別途、揃える必要がある。前記の構成によれば、第１右レンズ群Ｇ１Ｒの上下方向位置を調整することによって、左眼用画像と右眼用画像の相対的な上下位置を合わせることができる。
【００６５】
［６．効果］
本実施形態によれば、３Ｄアダプタ３００は、第１左レンズ群Ｇ１Ｌと、前記第１左レンズ群Ｇ１Ｌの外周側に配置された第１右レンズ群Ｇ１Ｒと、前記第１左レンズ群Ｇ１Ｌに対する前記第１右レンズ群Ｇ１Ｒの位置を調整可能な第２調整機構６とを備えている。第２調整機構６は、一端が位置決めされたシャフト６０と、シャフト６０が貫通する軸受部３２を有し、第１右レンズ群Ｇ１Ｒを保持する可動レンズ枠３と、可動レンズ枠３をシャフト６０に沿って摺動させて第１右レンズ群Ｇ１Ｒを前後方向に移動させる第１調整ネジ７１及びコイルバネ７４と、シャフト６０の他端を移動させて第１右レンズ群Ｇ１Ｒを上下方向に移動させる第３調整ネジ７３及び第２板バネ７６とを有する。
【００６６】
前記の構成によれば、可動レンズ枠３をシャフト６０に沿って摺動可能に支持することによって可動レンズ枠３をシャフト６０に沿った第１方向（具体的には、前後方向）へ移動させることができると共に、シャフト６０の一端を位置決めし、他端を移動させることによって可動レンズ枠３をシャフト６０と交差する第２方向（具体的には、上下方向）に移動させることができる。つまり、１つの調整機構によって、第１左レンズ群Ｇ１Ｌと第１右レンズ群Ｇ１Ｒとの２つの方向への相対的な位置関係を調整することができる。その結果、第１左及び第１右レンズ群Ｇ１Ｌ，Ｇ１Ｒの一方を１つの方向へ移動させ、他方を別の方向へ移動させる構成と比べて、第１左レンズ群Ｇ１Ｌと第１右レンズ群Ｇ１Ｒとの２つの方向への相対的な位置関係を簡易な構成で調整することができる。調整機構が簡易な構成となることによって、部品点数を削減することができ、ひいては、調整機構の小型化を図ることができる。
【００６７】
また、第２調整機構６は、可動レンズ枠３をシャフト６０周りに回転させて第１右レンズ群Ｇ１Ｒを左右方向に移動させる第２調整ネジ７２及び第１板バネ７５をさらに有する。
【００６８】
前記の構成によれば、可動レンズ枠３をシャフト６０周りに回動可能に支持することによって可動レンズ枠３をシャフト６０周りの第３方向（具体的には、左右方向）へ移動させることができる。その結果、１つの調整機構によって、第１左レンズ群Ｇ１Ｌと第１右レンズ群Ｇ１Ｒとの３つの方向への相対的な位置関係を調整することができる。その結果、第１左及び第１右レンズ群Ｇ１Ｌ，Ｇ１Ｒのそれぞれが移動可能な構成と比べて、第１左レンズ群Ｇ１Ｌと第１右レンズ群Ｇ１Ｒとの３つの方向への相対的な位置関係を簡易な構成で調整することができる。
【００６９】
また、３Ｄアダプタ３００は、第１左レンズ群Ｇ１Ｌと、前記第１左レンズ群Ｇ１Ｌの外周側に配置された第１右レンズ群Ｇ１Ｒと、前記第１左レンズ群Ｇ１Ｌに対する前記第１右レンズ群Ｇ１Ｒの位置を調整可能な第２調整機構６とを備えている。第２調整機構６は、一端が位置決めされたシャフト６０と、シャフトが貫通する軸受部３２を有し、第１右レンズ群Ｇ１Ｒを保持する可動レンズ枠３と、可動レンズ枠３をシャフト６０周りに回動させて第１右レンズ群Ｇ１Ｒを左右方向に移動させる第２調整ネジ７２及び第１板バネ７５と、シャフト６０の他端を移動させて第１右レンズ群Ｇ１Ｒを上下方向に移動させる第３調整ネジ７３及び第２板バネ７６とを有する。
【００７０】
前記の構成によれば、可動レンズ枠３をシャフト６０周りに回動可能に支持することによって可動レンズ枠３をシャフト６０周りの第３方向（具体的には、左右方向）へ移動させることができると共に、シャフト６０の一端を位置決めし、他端を移動させることによって可動レンズ枠３をシャフト６０と交差する第２方向（具体的には、上下方向）に移動させることができる。つまり、１つの調整機構によって、第１左レンズ群Ｇ１Ｌと第１右レンズ群Ｇ１Ｒとの２つの方向への相対的な位置関係を調整することができる。その結果、第１左及び第１右レンズ群Ｇ１Ｌ，Ｇ１Ｒの一方を１つの方向へ移動させ、他方を別の方向へ移動させる構成と比べて、第１左レンズ群Ｇ１Ｌと第１右レンズ群Ｇ１Ｒとの２つの方向への相対的な位置関係を簡易な構成で調整することができる。調整機構が簡易な構成となることによって、部品点数を削減することができ、ひいては、調整機構の小型化を図ることができる。
【００７１】
また、本体枠１は、シャフト６０をボス部１６によって傾動可能に支持している。詳しくは、嵌合孔１６ａをテーパ状に形成することによって、シャフト６０を傾動可能に支持している。このようにシャフト６０を傾動可能に構成することによって、可動レンズ枠３をシャフト６０に沿った軸方向又は／及びシャフト６０周りの周方向だけでなくシャフト６０を中心とした半径方向にも移動可能とすることができる。
【００７２】
また、可動レンズ枠３の左右方向の位置を調整するための第１板バネ７５を、鏡筒ユニット５００のピッチ方向の向きを調整するために鏡筒ユニット５００全体をケーシング４００に対して付勢する板バネと共通化させている。これにより、部品点数をさらに削減することができる。
【００７３】
《その他の実施形態》
前記実施形態について、以下のような構成としてもよい。
【００７４】
例えば、３Ｄアダプタ３００は、ビデオカメラ２００に設けられているが、これに限られるものではない。３Ｄアダプタ３００は、デジタルスチルカメラに用いられるものであってもよい。また、３Ｄアダプタ３００は、コンバージョンレンズではなく、カメラ本体に着脱可能又は着脱不能に取り付けられるレンズ鏡筒であってもよい。
【００７５】
また、前記第２調整機構６を備えるレンズ鏡筒は、１軸光学系を２軸光学系に切り替える３Ｄアダプタ３００に限られるものではない。すなわち、第１のレンズと、第１のレンズの外周側に配置された第２のレンズとを備えたレンズ鏡筒であれば、前記第２調整機構６を採用することができる。
【００７６】
また、前記実施形態では、第１右レンズ群Ｇ１Ｒの位置を調整しているが、位置調整されるレンズは、第１右レンズ群Ｇ１Ｒに限られるものではない。例えば、第１左レンズ群Ｇ１Ｌの位置を調整してもよいし、それ以外のレンズ群の位置を調整してもよい。また、位置が調整されるレンズは、１つであっても、複数であってもよい。
【００７７】
前記実施形態では、第１右レンズ群Ｇ１Ｒの、前後方向、左右方向及び上下方向の３つの方向の位置を調整しているが、これに限られるものではない。つまり、第１右レンズ群Ｇ１Ｒの少なくとも２つの方向の位置を調整するものであって、そのうちの一の方向については可動レンズ枠３を支持するシャフト６０を傾動させることによって位置を調整するものであればよい。
【００７８】
また、第１右レンズ群Ｇ１Ｒを、互いに略直交する３つの方向に移動させているが、これに限られるものではない。第１右レンズ群Ｇ１Ｒを、互いに異なる少なくとも２つの方向に移動させるものであればよく、それらの方向が互いに直交する必要はない。
【００７９】
また、前記実施形態では、シャフト６０を傾動させることによって、シャフト６０と交差する方向への可動レンズ枠３の位置を調整しているが、これに限られるものではない。例えば、シャフト６０が撓むように構成されていてもよい。例えば、シャフト６０を樹脂で構成することによって撓むように構成することができる。すなわち、シャフト６０の一端が位置決めされ、他端部を移動させることによって可動レンズ枠３をシャフト６０と交差する方向に移動させる構成であれば、任意の構成を採用することができる。シャフト６０が撓む場合には、シャフト６０を傾動可能に支持する必要はない。シャフト６０を固定的に支持する構成や、シャフト６０を本体枠１と一体に形成する構成であってもよい。
【００８０】
また、シャフト６０を傾動させるように支持する構成は、テーパ孔に限られるものではない。例えば、シャフト６０を、回動自在なジョイントを介して支持するものであってもよい。また、シャフト６０を、ゴム等で構成された弾性変形可能な支持部で支持するようにしてもよい。
【００８１】
また、前記実施形態では、可動レンズ枠３をシャフト６０周りに回動させることによって第１右レンズ群Ｇ１Ｒの左右方向の位置を調整し、シャフト６０を傾動させることによって第１右レンズ群Ｇ１Ｒの上下方向の位置を調整しているが、これに限られるものではない。例えば、可動レンズ枠３をシャフト６０周りに回動させることによって第１右レンズ群Ｇ１Ｒの上下方向の位置を調整し、シャフト６０を傾動させることによって第１右レンズ群Ｇ１Ｒの左右方向の位置を調整するように構成してもよい。その場合には、シャフト６０は、右筒部１１Ｒの上部ではなく、側部（例えば、右側部）に設けられることになる。
【００８２】
さらに、前記実施形態では、可動レンズ枠３の位置調整をネジと弾性体との協働により実現しているが、これに限られるものではない。それ以外の方法であっても、可動レンズ枠３の位置調整を行うことができる構成であれば、任意の構成を採用することができる。
【００８３】
本発明は、前記実施形態に限定されず、その精神または主要な特徴から逸脱することなく他のいろいろな形で実施することができる。このように、上述の実施形態はあらゆる点で単なる例示に過ぎず、限定的に解釈してはならない。本発明の範囲は特許請求の範囲によって示すものであって、明細書本文には何ら拘束されない。さらに、特許請求の範囲の均等範囲に属する変形や変更は、すべて本発明の範囲内のものである。
【産業上の利用可能性】
【００８４】
以上説明したように、本発明は、第１のレンズと、該第１のレンズの外周側に配置された第２のレンズとを備えたレンズ鏡筒について有用である。
【符号の説明】
【００８５】
１００      ビデオカメラユニット
２００      ビデオカメラ
３００      ３Ｄアダプタ
４００      ケーシング
５００      鏡筒ユニット
６００      第１調整機構
１          本体枠
３          可動レンズ枠（レンズ枠）
４          中間レンズ枠
４１        本体部
４２        前側リブ
４３        後側リブ
５          プリズム枠
６          第２調整機構（調整機構）
６０        シャフト（軸）
７１        第１調整ネジ（第１調整部）
７２        第２調整ネジ（第３調整部）
７３        第３調整ネジ（第２調整部）
７４        コイルバネ（第１調整部）
７５        第１板バネ（第３調整部）
７６        第２板バネ（第２調整部）
Ｇ１Ｌ      第１左レンズ群（第１のレンズ）
Ｇ１Ｒ      第１右レンズ群（第２のレンズ）
【図１】
2013145295.tif 000003
【図２】
2013145295.tif 000004
【図３】
2013145295.tif 000005
【図４】
2013145295.tif 000006
【図５】
2013145295.tif 000007
【図６】
2013145295.tif 000008
【図７】
2013145295.tif 000009
【図８】
2013145295.tif 000010
【図９】
2013145295.tif 000011
【図１０】
2013145295.tif 000012
【図１１】
2013145295.tif 000013
【図１２】
2013145295.tif 000014
【図１３】
2013145295.tif 000015
【図１４】
2013145295.tif 000016